(57)【要約】【課題】  通常のカメラ付き携帯電話等の撮像手段を備えた携帯端末を利用して、その撮像手段の被写角より広い角度範囲の撮像を行なって送信するようにした遠隔監視システムの提供。【解決手段】  遠隔監視可能なカメラ付き携帯通信端末１００がホルダー２００にセットされた状態にて、携帯通信端末のカメラで撮像した画面を、通信網を介して所定の送信先に送信することにより、送信先である遠隔地から監視を行なうようにした遠隔監視システム１０であって、上記ホルダーが、セットされた携帯通信端末のカメラのレンズに対向して配置された光学部材２０４と、この光学部材を回転軸の周りに駆動する駆動部２０５と、を含んでおり、上記駆動部が上記光学部材を駆動して、光学部材により折曲げられた光路が上記カメラに導かれることにより、上記カメラの被写角より広い範囲の画像を撮像する。【選択図】  図１
2006279327.tif 000002
【特許請求の範囲】
【請求項１】
遠隔監視可能なカメラ付き携帯通信端末がホルダーにセットされた状態にて、携帯通信端末のカメラで撮像した画面を、通信網を介して所定の送信先に送信することにより、送信先である遠隔地から監視を行なうようにした遠隔監視システムであって、
上記ホルダーが、セットされた携帯通信端末のカメラのレンズに対向して配置された光学部材と、この光学部材を回転軸の周りに駆動する駆動部と、を含んでおり、
上記駆動部が上記光学部材を駆動して、光学部材により折曲げられた光路が上記カメラに導かれることにより、上記カメラの被写角より広い範囲の画像を撮像できるようにしたことを特徴とする遠隔監視システム。
【請求項２】
上記ホルダーが携帯通信端末の充電台として構成されていることを特徴とする請求項１に記載の遠隔監視システム。
【請求項３】
上記光学部材が、平坦または凸状の反射面を備えていることを特徴とする請求項１または２に記載の遠隔監視システム。
【請求項４】
上記駆動部が、上記光学部材を上記レンズの光軸の周りに回転させることを特徴とする請求項１〜３のいずれかに記載の遠隔監視システム。
【請求項５】
上記駆動部が、上記光学部材を回転軸の周りに所定角度範囲で往復揺動させることを特徴とする請求項１〜３のいずれかに記載の遠隔監視システム。
【請求項６】
上記カメラが、静止画像を撮像することを特徴とする請求項１〜５のいずれかに記載の遠隔監視システム。
【請求項７】
上記カメラが、動画像を撮像することを特徴とする請求項１〜５のいずれかに記載の遠隔監視システム。
【請求項８】
上記駆動部が、携帯通信端末からの音，光，振動等の発生事象または制御信号によりトリガーされて動作を開始することを特徴とする請求項１〜７のいずれかに記載の遠隔監視システム。
【請求項９】
上記駆動部が、動作開始から所定時間経過後に、または携帯通信端末の発生事象の停止から所定時間経過後に、あるいは前もって設定された時間経過後に、動作を停止することを特徴とする請求項１〜８のいずれかに記載の遠隔監視システム。
【請求項１０】
遠隔監視可能なカメラ付き携帯通信端末がセットされた状態にて、携帯通信端末のカメラで撮像した画面を、通信網を介して所定の送信先に送信することにより、送信先である遠隔地から監視を行なうようにした遠隔監視用ホルダーであって、
セットされた携帯通信端末のカメラのレンズに対向して配置された光学部材と、この光学部材を回転軸の周りに駆動する駆動部と、を含んでおり、
上記駆動部が上記光学部材を駆動して、光学部材により折曲げられた光路が上記カメラに導かれることにより、上記カメラの被写角より広い範囲の画像を撮像できるようにしたことを特徴とする遠隔監視用ホルダー。
【請求項１１】
携帯通信端末の充電台としても構成されていることを特徴とする請求項１０に記載の遠隔監視用ホルダー。
【請求項１２】
上記光学部材が、平坦または凸状の反射面を備えていることを特徴とする請求項１０または１１に記載の遠隔監視用ホルダー。
【請求項１３】
上記駆動部が、上記光学部材を上記レンズの光軸の周りに回転させることを特徴とする請求項１０〜１２のいずれかに記載の遠隔監視用ホルダー。
【請求項１４】
上記駆動部が、上記光学部材を回転軸の周りに所定角度範囲で往復揺動させることを特徴とする請求項１０〜１２のいずれかに記載の遠隔監視用ホルダー。
【請求項１５】
上記駆動部が、携帯通信端末からの音，光，振動等の発生事象または制御信号によりトリガーされて動作を開始することを特徴とする請求項１０〜１４のいずれかに記載の遠隔監視用ホルダー。
【請求項１６】
上記駆動部が、動作開始から所定時間経過後に、または携帯通信端末の発生事象の停止から所定時間経過後に、あるいは前もって設定された時間経過後に、動作を停止することを特徴とする請求項１０〜１５のいずれかに記載の遠隔監視用ホルダー。
【請求項１７】
ホルダーにセットされた状態にて、携帯通信端末のカメラで撮像した画面を、通信網を介して所定の送信先に送信することにより、送信先である遠隔地から監視を行なう遠隔監視可能なカメラ付き携帯通信端末であって、
上記ホルダーが、セットされた携帯通信端末のカメラのレンズに対向して配置された光学部材と、この光学部材を回転軸の周りに駆動する駆動部と、を含んでおり、
上記駆動部が上記光学部材を駆動して、光学部材により折曲げられた光路が上記カメラに導かれることにより、上記カメラの被写角より広い範囲の画像を撮像できるようにしたことを特徴とするカメラ付き携帯通信端末。
【発明の詳細な説明】
【技術分野】
【０００１】
本発明は、例えば撮像手段を備えた携帯端末を利用した遠隔監視システムと、このようなシステムを構成する携帯端末機器およびホルダーに関する。
【背景技術】
【０００２】
従来、カメラ付き携帯電話等の撮像手段を備えた携帯端末が普及してきており、このような撮像手段によって静止画像だけでなく動画を撮像することも簡単にできるようになってきている。
そして、このようなカメラ付き携帯電話を利用して、室内等の監視を行なうことができるようにした遠隔監視機能を搭載した携帯電話も実用化されている。
【０００３】
このような遠隔監視機能を搭載した携帯電話は、例えば図９および図１０に示すように構成されている。
図９および図１０において、携帯電話９００は、携帯電話機本体９１０と、卓上ホルダー９９０と、から構成されている。
【０００４】
上記携帯電話機本体９１０は、着脱可能に接続された各回路に給電するための電池パック９１１と、ＡＮＴ部９１２，ＴＲＸ９１３，ベースバンド処理部９１４，ＭＣＰＵ９１５，レシーバ９１６，マイク９１７，表示部９１８，ユーザＩＦ部９１９，番号ボタン９２０，ドライバ部９２１，サウンダ９２２，バイブ９２３，メモリ９２４，充電制御部９２５，カメラ制御部９２６，カメラモジュール部９２７とを設けてある。
【０００５】
上記電池パック９１１は、各回路に接続され給電する電源であって、携帯電話機本体に対して着脱可能に構成されている。
上記ＡＮＴ部９１２は、無線信号の送受信を行なう。
上記ＴＲＸ９１３およびベースバンド処理部９１４は、上記ＡＮＴ部９１２の入出力無線信号の変調および復調を行なう。
上記ＭＣＰＵ９１５は、主として携帯電話機の機能動作を制御する回路であり、カメラ制御部９２６に対して、カメラモジュール部９２７の制御パラメータやコマンドの送出を行なうことができるようになっている。
【０００６】
上記レシーバ９１６は、受話部を、また上記マイク９１７は、送話部を構成している。
上記表示部９１８は、電話番号，時計，サービス圏内／圏外，充電状態／電池残両，電話帳，メール内容や、カメラで撮像した画像等の表示を行なうようになっている。
上記ユーザＩＦ部９１９は、主として番号ボタン９２０の入力を認識して、ＭＣＰＵ９１５に伝達する回路である。
上記ドライバ部９２１は、上記ＭＣＰＵ９１５から着信時の報知命令を受けて、サウンダ９２２またはバイブ９２３を駆動させる回路である。
上記サウンダ９２２は着信音を発するスピーカ、上記バイブ９２３は、振動によって着信を報知する振動モータである。
【０００７】
上記メモリ９２４は、プログラムデータ，ユーザ情報，電話帳，メール，ダウンロードデータ（画像や音楽等），カメラで撮像した画像や、カメラ制御用のパラメータ等のデータを記憶している。
上記充電制御部９２５は、充電端子９２５ａ，９２５ｂを介して、卓上ホルダー９９０と接続されることにより、電池パック９１１の充電制御を行なうようになっており、電池パック９１１の電圧の充電電流をモニタして、決められた電池電圧で充電電流になるまで充電を継続するようになっている。
【０００８】
上記カメラ制御部９２６は、カメラモジュール部９２７を制御する回路であって、ＭＣＰＵ９１５から受け取ったカメラパラメータに従って、カメラモジュール部９２７の動作を制御し得るようになっている。
上記カメラモジュール部９２７は、カメラ制御部９２６から受け取ったカメラ制御信号に基づいて動作して、フォーカス調整や光学ズーム等の望遠／接写撮影を行なうことができるようになっている。
【０００９】
また、卓上ホルダー９９０は、コネクタ９９１と、充電スイッチ９９２と、充電端子９９３ａ，９９３ｂと、を設けてある。
上記コネクタ９９１は、図示のように、ＡＣアダプタ９９４が接続されて所定のＤＣ電圧が入力されるようになっている。
充電スイッチ９９２は、図１１に示すように、上記携帯電話機本体９１０が卓上ホルダー９９０上にセットされたときにオンされて、コネクタ９９１を上記充電端子９９３ａ，９９３ｂに導通させるようになっている。
上記充電端子９９３ａ，９９３ｂは、携帯電話機本体９１０が卓上ホルダー９９０上にセットされたとき、携帯電話機本体９１０の充電端子９２５ａ，９２５ｂと接触する端子であって、一般的に導通性と耐腐蝕性に優れた金メッキ処理が施されている。
【００１０】
しかしながら、このようなカメラ付き携帯電話を利用した遠隔監視方法においては、カメラ付き携帯電話９００の携帯電話機本体９１０は固定配置されており、遠隔操作により撮像を行なって、撮像画面を通信網を介して遠隔地に送信するようになっている。
したがって、カメラの撮像画面は固定されており、広い角度範囲に亘って監視を行なうことはできなかった。
【００１１】
これに対して、特許文献１においては、固定した監視カメラに対して、旋回駆動される反射ミラーを設けて、この反射ミラーのみを旋回駆動することにより、反射ミラーを介して広い角度範囲に亘って撮像を行なうことができるようにした、監視カメラ装置が開示されている。
【００１２】
また、特許文献２において、遠隔操作端末から通信網を介して撮影処理を含む処理を指示する制御コマンドを含むメッセージを受信して、その処理結果を含む応答メッセージを送信すると共に、上記制御コマンドにより折畳み式の筐体を開閉制御してカメラのレンズの方向を変化させるようにした、遠隔撮影可能な携帯電話機が開示されている。
【００１３】
さらに、特許文献３においては、電話機の発生音に基づいて、制御信号を出力して、対象器具の遠隔操作、例えばカーテンの開閉を行なうようにした、遠隔指令装置が開示されている。
【特許文献１】特開２００２−３７４４３３号
【特許文献２】特開２００３−２１９０４３号
【特許文献３】特開２００３−３４８２５０号
【発明の開示】
【発明が解決しようとする課題】
【００１４】
ところで、上述した特許文献１による監視カメラ装置においては、カメラの前に旋回駆動される反射ミラーを設けて、この反射ミラーを旋回駆動することによって、反射ミラーを介して広い角度範囲に亘って監視のための撮像を行なうことができる。
しかしながら、この場合、広く普及してきているカメラ付き携帯電話を使用するものではなく、装置全体が比較的大型となり、コストが高くなってしまう。
【００１５】
また、特許文献２による遠隔撮影可能な携帯電話機においては、携帯電話機が折畳み式の筐体と、この折畳み式の筐体の開閉を行なうためのモータを駆動制御するための開閉制御手段を備えている。
さらに、このような折畳み式筐体の開閉制御のための制御コマンドを送受信する必要があることから、通信モジュールも変更する必要がある。
したがって、このような筐体の開閉による遠隔監視を必要としない利用者にとっては、不要な回路・部品が多く搭載されていることによって、携帯電話機が大きく、重くなってしまうと共に、価格が高くなってしまうことになる。
このため、この携帯電話機は遠隔監視専用端末となってしまうことから、あまり増産効果が望めなくなってしまうと共に、遠隔撮影の際に特に携帯電話機に対して補助電源が接続されていないことから、例えば海外旅行時に自宅の室内を遠隔監視する場合のように長時間に亘る撮影を行なうことは実質的に困難である。
【００１６】
さらに、特許文献３による遠隔指令装置においては、対象器具の遠隔操作のためのトリガとして電話機の発生音を利用して、例えば留守番電話機のメッセージ応答と同様にして、発生音の種類，回数等に基づいて、外部からの指令を認識し、この指令に対応する制御信号を出力して、対象器具の遠隔操作を行なうようにしている。
しかしながら、上述した電話機の発生音は、遠隔操作のトリガとしてのみ利用するものである。したがって、トリガによってカメラの撮像を開始したとしても、撮像信号を電話機から通信網を介して送信することは想定していない。
【００１７】
このようにして、例えば通常のカメラ付き携帯電話等の撮像手段を備えた携帯端末を利用して、遠隔操作により広い角度範囲の撮像を行なって、撮像信号を通信網を介して外部に送信することにより、遠隔監視を行なうものは、従来は存在していない。
また、例えば特許文献１〜３の技術を組み合わせたとしても、遠隔操作専用端末ではなく、通常市販されている携帯端末を利用して、そのカメラにより広い角度範囲の撮像を行なって、遠隔監視を行なういことはできなかった。
【００１８】
本発明は、上記の問題を解決すべくなされたものであり、通常のカメラ付き携帯電話等の撮像手段を備えた携帯端末を利用して、その撮像手段の被写角より広い角度範囲の撮像を行なって、通信網を介して遠隔地に送信するようにした、遠隔監視システムと、このようなシステムを構成する携帯端末およびホルダーの提供を目的とする。
【課題を解決するための手段】
【００１９】
この目的を達成するため、本発明の請求項１記載の遠隔監視システムは、遠隔監視可能なカメラ付き携帯通信端末がホルダーにセットされた状態にて、携帯通信端末のカメラで撮像した画面を、通信網を介して所定の送信先に送信することにより、送信先である遠隔地から監視を行なうようにした遠隔監視システムであって、上記ホルダーが、セットされた携帯通信端末のカメラのレンズに対向して配置された光学部材と、この光学部材を回転軸の周りに駆動する駆動部と、を含んでおり、上記駆動部が上記光学部材を駆動して、光学部材により折曲げられた光路が上記カメラに導かれることにより、上記カメラの被写角より広い範囲の画像を撮像できるようにした構成としてある。
【００２０】
遠隔監視システムをこのような構成とすると、通常の遠隔監視可能なカメラ付き携帯通信端末を使用して、携帯通信端末を上記ホルダー上にセットすると、上記携帯通信端末のカメラのレンズに対向して光学部材が配置されることになり、この光学部材が駆動部により回転軸の周りに駆動されることにより、光学部材の駆動に伴って、光学部材により折曲げられた光路が順次に上記カメラに導かれることになる。
従って、携帯通信端末のカメラは、ホルダー上で固定配置されていても、光学部材の駆動により、カメラの撮像する被写界が順次に移動して、カメラをパンしたような画像を撮像することができる。これにより、上記カメラの被写角が実質的に広がることになり、より広い角度範囲の画像を撮像し、遠隔監視を行なうことが可能になる。
【００２１】
この場合、携帯通信端末自体は、従来から市販されている遠隔監視可能なカメラ付きの携帯電話，ＰＨＳ，ＰＤＡ等を含む携帯通信端末を利用することができるので、専用の携帯通信端末を用意する必要がなく、比較的低コストで遠隔監視システムを構成することが可能になる。
【００２２】
請求項２記載の遠隔監視システムは、上記ホルダーが携帯通信端末の充電台として構成されている構成としてある。
遠隔監視システムをこのような構成とすると、ホルダーから携帯通信端末に対して充電が行なわれることになる。したがって、長時間に亘る使用においては、途中で電池切れになるようなことがなく、携帯通信端末による遠隔監視を行なうことが可能になる。
【００２３】
請求項３記載の遠隔監視システムは、上記光学部材が、平坦または凸状の反射面を備えている構成としてある。
遠隔監視システムをこのような構成とすると、例えば反射ミラー，反射面を有するプリズム等により、光路を折曲げる光学部材を容易に低コストで構成することができる。
尚、凸状の反射面の場合には、カメラの被写角を実質的に拡大することができる。
【００２４】
請求項４記載の遠隔監視システムは、上記駆動部が、上記光学部材を上記レンズの光軸の周りに回転させる構成としてある。
請求項５記載の遠隔監視システムは、上記駆動部が、上記光学部材を回転軸の周りに所定角度範囲で往復揺動させる構成としてある。
遠隔監視システムをこのような構成とすると、光学部材が一方向に回転し、または所定の角度範囲で往復揺動することによって、携帯通信端末のカメラにより広い角度範囲の撮像を行なうことが可能になる。
【００２５】
請求項６記載の遠隔監視システムは、上記カメラが、静止画像を撮像する構成としてある。
遠隔監視システムをこのような構成とすると、光学部材の移動に伴って、カメラが所定角度間隔で互いに重なり合うような静止画像を撮像することにより、広い角度範囲の遠隔監視を行なうことができる。
【００２６】
請求項７記載の遠隔監視システムは、上記カメラが、動画像を撮像する構成としてある。
遠隔監視システムをこのような構成とすると、光学部材の移動に伴って、カメラが連続的に動画像を撮像することにより、所謂ＴＶ電話として広い角度範囲の遠隔監視を行なうことができる。
【００２７】
請求項８記載の遠隔監視システムは、上記駆動部が、携帯通信端末からの音，光，振動等の発生事象または制御信号によりトリガーされて動作を開始する構成としてある。
遠隔監視システムをこのような構成とすると、上記ホルダーの駆動部が、携帯通信端末の着信時の着信音，バイブの振動，あるいはＬＥＤの点灯や点滅等をトリガーとして動作を開始するので、通常のカメラ付き携帯通信端末をそのまま利用して、遠隔監視を行なうことができると共に、制御信号をトリガーとする場合には、例えば携帯通信端末から制御信号を取り出す信号線を一本追加するだけの簡単な構成により、遠隔監視を行なうことができる。
特に、遠隔監視専用の特定の着信音または着信パターンをトリガーとして駆動部が動作を開始するようにすれば、通常の着信音または着信パターンと区別して、遠隔監視を行なうことが可能になる。
【００２８】
請求項９記載の遠隔監視システムは、上記駆動部が、動作開始から所定時間経過後に、または携帯通信端末の発生事象の停止から所定時間経過後に、あるいは前もって設定された時間経過後に、動作を停止する構成としてある。
遠隔監視システムをこのような構成とすると、特に遠隔監視動作の停止のための操作を行なうことなく、駆動部が自動的に動作を停止することにより、遠隔監視動作が自動的に終了することになる。
【００２９】
また、上記目的を達成するため、本発明の請求項１０記載の遠隔監視用ホルダーは、遠隔監視可能なカメラ付き携帯通信端末がセットされた状態にて、携帯通信端末のカメラで撮像した画面を、通信網を介して所定の送信先に送信することにより、送信先である遠隔地から監視を行なうようにした遠隔監視用ホルダーであって、セットされた携帯通信端末のカメラのレンズに対向して配置された光学部材と、この光学部材を回転軸の周りに駆動する駆動部と、を含んでおり、上記駆動部が上記光学部材を駆動して、光学部材により折曲げられた光路が上記カメラに導かれることにより、上記カメラの被写角より広い範囲の画像を撮像できるようにした構成としてある。
請求項１１記載の遠隔監視用ホルダーは、携帯通信端末の充電台としても構成されている構成としてある。
請求項１２記載の遠隔監視用ホルダーは、上記光学部材が、平坦または凸状の反射面を備えている構成としてある。
請求項１３記載の遠隔監視用ホルダーは、上記駆動部が、上記光学部材を上記レンズの光軸の周りに回転させる構成としてある。
請求項１４記載の遠隔監視用ホルダーは、上記駆動部が、上記光学部材を回転軸の周りに所定角度範囲で往復揺動させる構成としてある。
請求項１５記載の遠隔監視用ホルダーは、上記駆動部が、携帯通信端末からの音，光，振動等の発生事象または制御信号によりトリガーされて動作を開始する構成としてある。
請求項１６記載の遠隔監視用ホルダーは、上記駆動部が、動作開始から所定時間経過後に、または携帯通信端末の発生事象の停止から所定時間経過後に、あるいは前もって設定された時間経過後に、動作を停止する構成としてある。
本発明は、このようにホルダーとしても実現化することができる。
【００３０】
また、上記目的を達成するため、本発明の請求項１７記載の遠隔監視可能なカメラ付き携帯通信端末は、ホルダーにセットされた状態にて、携帯通信端末のカメラで撮像した画面を、通信網を介して所定の送信先に送信することにより、送信先である遠隔地から監視を行なう遠隔監視可能なカメラ付き携帯通信端末であって、上記ホルダーが、セットされた携帯通信端末のカメラのレンズに対向して配置された光学部材と、この光学部材を回転軸の周りに駆動する駆動部と、を含んでおり、上記駆動部が上記光学部材を駆動して、光学部材により折曲げられた光路が上記カメラに導かれることにより、上記カメラの被写角より広い範囲の画像を撮像できるようにした構成としてある。
本発明は、このように携帯通信端末としても実現化することができる。
【発明の効果】
【００３１】
このようにして、本発明によれば、通常の遠隔監視可能なカメラ付き携帯通信端末を使用して、この携帯通信端末を上記ホルダー上にセットすることにより、上記携帯通信端末のカメラのレンズに対向して光学部材が配置され、この光学部材が駆動部により回転軸の周りに駆動されることにより、光学部材の駆動に伴って、光学部材により折曲げられた光路が順次に上記カメラに導かれることになる。
従って、この携帯通信端末そしてそのカメラが上記ホルダー上で固定配置されていても、駆動部による光学部材の駆動により、カメラの撮像する被写界が順次に移動して、カメラをパンしたような画像を撮像することができる。
これにより、上記携帯通信端末のカメラの被写角が実質的に広がることになり、より広い角度範囲の画像を撮像して、所定の送信先に送信することによって、この送信先である遠隔地から遠隔監視を行なうことが可能になる。
【発明を実施するための最良の形態】
【００３２】
以下、本発明の実施の形態について、図面を参照して説明する。
【実施例１】
【００３３】
本発明の遠隔監視システムの第一の実施形態について、図１および図２を参照して説明する。
図１は、遠隔監視システムの構成を示すブロック図であり、図２は、遠隔監視システムの概略斜視図である。
【００３４】
図１および図２に示すように、遠隔監視システム１０は、カメラ付き携帯電話機１００と、卓上ホルダー２００と、から構成されている。
【００３５】
上記カメラ付き携帯電話機１００は、図９に示した従来の携帯電話機本体９１０と同様に、着脱可能に接続された各回路に給電するための電池パック１０１と、ＡＮＴ部１０２，ＴＲ９０３，ベースバンド処理部１０４，ＭＣＰＵ１０５，レシーバ１０６，マイク１０７，表示部１０８，ユーザＩＦ部１０９，番号ボタン１１０，ドライバ部１１１，サウンダ１１２，バイブ１１３，メモリ１１４，充電制御部１１５，充電端子１１５ａ，充電端子１１５ｂ，カメラ制御部１１６，カメラモジュール部１１７とを設けてある。
これらの各要素１０１〜１１７は、それぞれ図９に示した従来の携帯電話機本体９１０における各要素９１１〜９２７は同じ構成であるので、その詳細な説明は省略する。
【００３６】
また、上記カメラ付き携帯電話機１００は、さらにＭＣＰＵ１０５からの制御信号を出力するための制御端子１１８を備えている。
この制御端子１１８は、ＭＣＰＵ１０５により後述する卓上ホルダー２００の反射ミラーの回転を制御するための制御信号を出力するようになっている。
【００３７】
ここで、上記カメラ付き携帯電話機１００は、例えばＴＶ電話の着信が発生したとき、前もってユーザが設定した遠隔監視を許可した電話番号からの着信か否かをＭＣＰＵ１０５で判定する。
そして、上記ＭＣＰＵ１０５は、遠隔監視を許可した電話番号からの着信でない場合には、通常のＴＶ電話着信動作を行なうと共に、遠隔監視を許可した電話番号からの着信の場合には、自動応答により制御端子１１８から回転制御開始のための制御信号を出力すると共に、ＴＶ電話通話状態となって、カメラモジュール部１１７により遠隔監視を行なう。
また、上記ＭＣＰＵ１０５は、このＴＶ電話通話状態による遠隔監視中に、ＴＶ電話の通話が切断されたとき、あるいは遠隔監視中止の信号を受信したとき、制御端子１１８から回転制御停止の制御信号を出力する。
【００３８】
このようにして、上述したカメラ付き携帯電話機１００は、従来市販されている遠隔監視可能なカメラ付き携帯電話機に対して、制御端子１１８を追加するだけの簡単な変更により、容易に製造され得る。
【００３９】
これに対して、卓上ホルダー２００は、コネクタ２０１と、充電スイッチ２０２と、充電端子２０３ａ，２０３ｂと、を設けてあると共に、さらに回転可能に指示された光学部材としての反射ミラー２０４と、この反射ミラー２０５を回転駆動させる駆動部としてのモータ２０５と、このモータ２０５の駆動制御を行なう回転制御部２０６と、回転制御端子２０７と、を備えている。
【００４０】
上記コネクタ２０１，充電スイッチ２０２，充電端子２０３ａおよび２０３ｂは、図９に示した卓上ホルダー９９０におけるコネクタ９９１，充電スイッチ９９２，充電端子９９３ａおよび９９３ｂと同じ構成であるので、その詳細な説明は省略する。
【００４１】
上記反射ミラー２０４は、図３に示すように、卓上ホルダー２００上にセットされるカメラ付き携帯電話機１００のカメラのレンズの光軸の周りに回転可能に、そしてこの光軸に対して斜めに配置されている。
この反射ミラー２０４は、光軸に対する傾斜角が調整可能に構成されていてもよい。
ここで、上記反射ミラー２０４は、平面ミラーとして構成されているが、凸状のミラー面を備えていてもよい。この場合、カメラの被写角が小さくても、凸状のミラー面による反射によって、より広い範囲を撮像することができる。
【００４２】
上記モータ２０５は、図３に示すように、卓上ホルダー２００上にセットされるカメラ付き携帯電話機１００のカメラのレンズの光軸上に回転軸２０５ａを備えており、この回転軸２０５ａに対して上記反射ミラー２０４が取り付けられている。
これにより、モータ２０５が駆動されると、その回転軸２０５ａに取り付けられた反射ミラー２０４が上記光軸の周りに回転駆動されるようになっている。
尚、モータ２０５は、例えば一方向に回転するように駆動制御されてもよく、また所定の角度範囲で逆回転されることにより、上記回転軸２０５ａが所定の角度範囲で往復揺動されるように駆動制御されてもよい。
【００４３】
上記回転制御部２０６は、カメラ付き携帯電話機１００のＭＣＰＵ１０５から回転制御端子２０７を介して回転制御開始の制御信号が入力されたとき、モータ２０５の回転駆動を開始すると共に、同様に回転制御停止の制御信号が入力されたとき、あるいは所定時間経過後にモータ２０５の回転駆動を停止するようになっている。
尚、上記所定時間は、前もって決められていてもよく、また適宜に調整され設定されるようになっていてもよい。
【００４４】
上記回転制御端子２０７は、図３に示すように、卓上ホルダー２００上にカメラ付き携帯電話機１００がセットされたとき、カメラ付き携帯電話機１００の制御端子１１８に電気的に接触して、この制御端子１１８から制御信号が回転制御部２０６に入力されるようになっている。
【００４５】
次に、本実施形態の遠隔監視システムの動作について、図４を参照して説明する。
遠隔監視システムは、図４に示す遠隔監視作業の各ステップで利用される。
【００４６】
図４において、まずステップＡ１にて、カメラ付き携帯電話機１００が卓上ホルダー２００上にセットされて待ち受け状態にある。
この状態から、ステップＡ２にて、ＴＶ電話の着信が発生すると、カメラ付き携帯電話機１００のＭＣＰＵ１０５は、ステップＡ３にて、遠隔監視を許可した電話番号からの着信か否かの判定を行なう。
【００４７】
そして、ステップＡ３にて、遠隔監視を許可した電話番号からの着信でない場合には、上記ＭＣＰＵ１０５は、ステップＡ４にて、通常のＴＶ電話着信動作を行なう。
この場合、ユーザが手動で応答することにより、カメラ付き携帯電話機１００は、ＴＶ電話通話状態となる。
【００４８】
これに対して、ステップＡ３にて、遠隔監視を許可した電話番号からの着信である場合には、上記ＭＣＰＵ１０５は、ステップＡ５にて、自動応答して、制御端子１１８から回転制御開始の制御信号を出力した後、ステップＡ６にて、ＴＶ電話通話状態となる。
ここで、上記卓上ホルダー２００の回転制御部２０６は、上記カメラ付き携帯電話機１００のＭＣＰＵ１０５からの回転制御開始の制御信号を、回転制御端子２０７を介して受け取ると、ステップＡ７にて、モータ２０５に対して電源を供給して駆動制御する。
【００４９】
これにより、ステップＡ８にて、上記モータ２０５が回転軸２０５ａの周りに回転するので、ステップＡ９にて、上記反射ミラー２０４が上記カメラモジュール部１１７のカメラのレンズの光軸の周りに回転する。
したがって、反射ミラー２０４の回転に伴って、順次に異なる角度範囲の光が反射ミラー２０４を介して反射されて上記カメラモジュール部１７のカメラのレンズに入射することになり、カメラ付き携帯電話機１００の周囲の例えば室内風景が所謂パンして動画像として撮像され、ＴＶ電話の画像として送信され、遠隔監視が行なわれることになる。
【００５０】
その後、ステップＡ１０にて、相手先から遠隔監視終了の信号が送信されてくると、上記カメラ付き携帯電話機１００のＭＣＰＵ１０５は、ステップＡ１１にて、これに基づいて回転制御停止用の制御信号を制御端子１１８から出力する。
これにより、卓上ホルダー２００の回転制御部２０６は、ステップＡ１２にて、この回転制御停止用の制御信号に基づいて、モータ２０５を停止させて、遠隔監視を終了する。
【００５１】
これに対して、ステップＡ１３にて、回転制御開始から所定時間が経過すると、上記回転制御部２０６は、カメラ付き携帯電話機１００からの回転制御停止用の制御信号を待たずに、ステップＡ１４にて、モータ２０５を停止させて、同様に遠隔監視を終了する。
【００５２】
また、ステップＡ１５にて、ＴＶ電話通話が切断されると、上記カメラ付き携帯電話機１００のＭＣＰＵ１０５は、ステップＡ１６にて、これに基づいて回転制御停止用の制御信号を制御端子１１８から出力した後、ＴＶ電話通話を終了する。
これにより、卓上ホルダー２００の回転制御部２０６は、ステップＡ１２にて、この回転制御停止用の制御信号に基づいて、モータ２０５を停止させる。
以上で、遠隔監視作業が完了する。
【実施例２】
【００５３】
次に、本発明による遠隔監視システムの第二の実施形態について、図５および図６を参照して説明する。
図５は、遠隔監視システムの構成を示すブロック図であり、図６は、遠隔監視システムの概略斜視図である。
図１および図２に示すように、遠隔監視システム２０は、図１および図２に示した遠隔監視システム１０と同様に、カメラ付き携帯電話機１００と、卓上ホルダー２００と、から構成されている。
【００５４】
ここで、遠隔監視システム２０は、図１および図２に示した遠隔監視システム１０とほぼ同様の構成であるので、同じ構成要素には同じ符号を付して、その説明を省略する。
上記遠隔監視システム２０は、図１および図２に示した遠隔監視システム１０と比較して、カメラ付き携帯電話機１００の制御端子１１８が省略されていると共に、卓上ホルダー２００が、感知部２０８を備えている点で異なる構成になっている。
【００５５】
そして、上記カメラ付き携帯電話機１００は、そのＭＣＰＵ１０５が、遠隔監視を許可した電話番号からＴＶ電話の着信があったとき、または遠隔監視中にＴＶ電話の通話が切断されたときあるいは遠隔監視中止の信号を受信したとき、ドライバ部１１１を制御して、サウンダ１１２から特定周波数の鳴音動作を行なうようになっている。
これにより、この場合、カメラ付き携帯電話機１００は、従来市販されている遠隔監視可能なカメラ付き携帯電話機を、その遠隔監視時のプログラムを変更するだけで、そのまま使用することができる。
【００５６】
上記卓上ホルダー２００の感知部２０８は、この場合音を感知するように構成されている。
ここで、上記感知部２０８は、内部にフィルタを備えていることにより、特定周波数のみを感知するように構成されている。
【００５７】
そして、上記感知部２０８は、図６に示すように、卓上ホルダー２００上にカメラ付き携帯電話機１００がセットされたとき、そのサウンダ１１２に近接するように卓上ホルダー２００上に配置されている。
これにより、上記感知部２０８は、卓上ホルダー２００上にセットされたカメラ付き携帯電話機１００に遠隔監視を許可した電話番号からＴＶ電話の着信があったとき、サウンダ１１２から発せられる特定周波数の鳴音を感知して、回転制御開始の制御信号を回転制御部２０６に送出すると共に、遠隔監視中に上記鳴音を感知したとき、回転制御停止の制御信号を回転制御部２０６に送出するようになっている。
【００５８】
次に、本実施形態の遠隔監視システムの動作について、図７を参照して説明する。
遠隔監視システムは、図７に示す遠隔監視作業の各ステップで利用される。
【００５９】
図７において、まずステップＢ１にて、カメラ付き携帯電話機１００が卓上ホルダー２００上にセットされて待ち受け状態にある。
この状態から、ステップＢ２にて、ＴＶ電話の着信が発生すると、カメラ付き携帯電話機１００のＭＣＰＵ１０５は、ステップＢ３にて、遠隔監視を許可した電話番号からの着信か否かの判定を行なう。
【００６０】
そして、ステップＢ３にて、遠隔監視を許可した電話番号からの着信でない場合には、上記ＭＣＰＵ１０５は、ステップＢ４にて、通常のＴＶ電話着信動作を行なう。
この場合、ユーザが手動で応答することにより、カメラ付き携帯電話機１００は、ＴＶ電話通話状態となる。
【００６１】
これに対して、ステップＢ３にて、遠隔監視を許可した電話番号からの着信である場合には、上記ＭＣＰＵ１０５は、ステップＢ５にて、自動応答して、ドライバ部１１１に対して、特定周波数の鳴音命令を出力する。
これにより、ドライバ部１１１は、ステップＢ６にて、サウンダ１１２から特定周波数の鳴音を発生させる。
その後、携帯電話機１００は、ステップＢ７にて、ＴＶ電話通話状態となる。
【００６２】
ここで、上記卓上ホルダー２００の感知部２０８は、ステップＢ８にて、上記サウンダ１１２からの特定周波数の鳴音を感知して、回転制御部２０６に対して、回転制御開始の制御信号を送出する。
これにより、回転制御部２０６は、ステップＢ９にて、モータ２０５に対して電源を供給して駆動制御する。
したがって、ステップＢ１０にて、上記モータ２０５が回転軸２０５ａの周りに回転するので、ステップＢ１１にて、上記反射ミラー２０４が上記カメラモジュール部１１７のカメラのレンズの光軸の周りに回転する。
【００６３】
そして、反射ミラー２０４の回転に伴って、順次に異なる角度範囲の光が反射ミラー２０４を介して反射されて上記カメラモジュール部１７のカメラのレンズに入射することになり、カメラ付き携帯電話機１００の周囲の例えば室内風景が所謂パンして動画像として撮像され、ＴＶ電話の画像として送信され、遠隔監視が行なわれることになる。
【００６４】
その後、ステップＢ１２にて、相手先から遠隔監視終了の信号が送信されてくると、上記カメラ付き携帯電話機１００のＭＣＰＵ１０５は、ステップＢ１３にて、ドライバ部１１１に対して、特定周波数の鳴音命令を出力する。
これにより、ドライバ部１１１は、ステップＢ１４にて、サウンダ１１２から特定周波数の鳴音を発生させる。
したがって、卓上ホルダー２００の感知部２０８は、ステップＢ１５にて、上記サウンダ１１２からの特定周波数の鳴音を感知して、回転制御部２０６に対して、回転制御停止の制御信号を送出する。
これにより、回転制御部２０６は、ステップＢ１６にて、この回転制御停止用の制御信号に基づいて、モータ２０５を停止させて、遠隔監視を終了する。
【００６５】
これに対して、ステップＢ１７にて、回転制御開始から所定時間が経過すると、上記回転制御部２０６は、感知部２０８からの回転制御停止用の制御信号を待たずに、ステップＢ１８にて、モータ２０５を停止させて、同様に遠隔監視を終了する。
【００６６】
また、ステップＢ１９にて、ＴＶ電話通話が切断されると、上記カメラ付き携帯電話機１００のＭＣＰＵ１０５は、ステップＢ２０にて、ドライバ部１１１に対して、特定周波数の鳴音命令を出力した後、ＴＶ電話通話を終了する。
これにより、ドライバ部１１１は、ステップＢ２１にて、サウンダ１１２から特定周波数の鳴音を発生させる。
【００６７】
そして、卓上ホルダー２００の感知部２０８は、ステップＢ２２にて、上記サウンダ１１２からの特定周波数の鳴音を感知して、回転制御部２０６に対して、回転制御停止の制御信号を送出する。
これにより、上記回転制御部２０６は、ステップＢ２３にて、この回転制御停止用の制御信号に基づいて、モータ２０５を停止させる。
以上で、遠隔監視作業が完了する。
【００６８】
上述した遠隔監視システム２０において、カメラ付き携帯電話機１００から卓上ホルダー２００への回転制御の指令は、サウンダ１１２からの特定周波数の鳴音を、感知部２０８により感知して、回転制御信号を回転制御部２０６に送出することにより行なうようになっている。
しかしながら、これに限らず、サウンダ１１２からの種々の鳴音、あるいは遠隔監視のための着信時に特定の着信音を設定しておき、この着信音を感知部２０８により感知するようにしてもよい。
【００６９】
さらには、サウンダ１１２からの特定周波数の鳴音の代わりに、ドライバ部１１１に対して、バイブ１１３からの特定パターンの振動を発生させて、この振動を感知部２０８により感知するようにしてもよい。
あるいは、通信中に点滅するＬＥＤ等の表示灯を点灯または特定のパターンで点滅させて、この表示灯の点灯または点滅を感知部２０８により感知するようにしてもよい。
このようにして、カメラ付き携帯電話１００における音，振動，光等の発生事象を、感知部２０８により感知して、回転制御部２０６により反射ミラー２０４を回転駆動させ、遠隔監視を行なうことが可能である。
【００７０】
上述した遠隔監視システム１０，２０においては、卓上ホルダー２００は、所定時間経過後、またはカメラ付き携帯電話機１００のＭＣＰＵ１０５または感知部２０８からの回転制御停止の制御信号に基づいて、モータ２０５の回転駆動を停止するようになっている。
しかしながら、これに限らず、通信中に点滅する表示灯が所定時間以上消灯したとき、あるいは図８に示すように、カメラ付き携帯電話機１００のＡＮＴ部１０２からの無線電波出力を別途設けた無線検知器２０９により検出して、この無線電波出力が所定時間以上停止したとき、回転制御部２０６がモータ２０５の回転駆動を停止させるようにしてもよい。
【産業上の利用可能性】
【００７１】
上述した実施形態においては、卓上ホルダー２００は、充電機能を備えているが、これに限らず、充電機能が省略されていてもよい。
また、上述した実施形態においては、カメラ付き携帯電話機１００は卓上ホルダー２００上にセットされるように構成されているが、卓上ホルダー２００の代わりに他の形状のホルダーであってもよい。
また、上述した実施形態においては、ＴＶ電話が可能であるカメラ付き携帯電話機１００を使用した場合について説明したが、これに限らず、静止画像のみを撮像可能なカメラ付き携帯電話機を使用する場合にも本発明を適用し得ることは明らかである。
【００７２】
さらに、上述した実施形態においては、カメラ付き携帯電話機１００を使用した場合について説明したが、これに限らず、カメラ等の適宜な撮像手段を備えた携帯電話機，ＰＨＳやＰＤＡ等を含む任意の形式の携帯通信端末を使用する場合にも本発明を適用し得ることは明らかであり、通信手段としては携帯電話，ＰＨＳ等の無線回線網だけでなく、いわゆる無線ＬＡＮ等を含むことはいうまでもない。
【図面の簡単な説明】
【００７３】
【図１】本発明による遠隔監視システムの第一の実施形態の構成を示すブロック図である。
【図２】図１の遠隔監視システムの概略斜視図である。
【図３】図１の遠隔監視システムにおける卓上ホルダー上にカメラ付き携帯電話機をセットした状態を示す概略斜視図である。
【図４】図１の遠隔監視システムにおける遠隔監視作業を示すフローチャートである。
【図５】本発明による遠隔監視システムの第二の実施形態の構成を示すブロック図である。
【図６】図５の遠隔監視システムの概略斜視図である。
【図７】図５の遠隔監視システムにおける遠隔監視作業を示すフローチャートである。
【図８】図５の遠隔監視システムにおける卓上ホルダーの変形例の構成を示すブロック図である。
【図９】従来の遠隔監視可能なカメラ付き携帯電話機の構成を示すブロック図である。
【図１０】図９の携帯電話機の概略斜視図である。
【図１１】図９の携帯電話機を卓上ホルダーにセットした状態を示す概略斜視図である。
【符号の説明】
【００７４】
１０    遠隔監視システム
１００  カメラ付き携帯電話機
１０１  電池パック
１０２  ＡＮＴ部
１０３  ＴＲＸ
１０４  ベースバンド処理部
１０５  ＭＣＰＵ
１０６  レシーバ
１０７  マイク
１０８  表示部
１０９  ユーザＩＦ部
１１０  番号ボタン
１１１  ドライバ部
１１２  サウンダ
１１３  バイブ
１１４  メモリ
１１５  充電制御部
１１６  カメラ制御部
１１７  カメラモジュール部
２００  卓上ホルダー
２０１  コネクタ
２０２  充電スイッチ
２０３ａ，２０３ｂ  充電端子
２０４  反射ミラー
２０５  モータ
２０６  回転制御部
２０７  回転制御端子
２０８  感知部
２０９  無線検知器
【図１】
2006279327.tif 000003
【図２】
2006279327.tif 000004
【図３】
2006279327.tif 000005
【図４】
2006279327.tif 000006
【図５】
2006279327.tif 000007
【図６】
2006279327.tif 000008
【図７】
2006279327.tif 000009
【図８】
2006279327.tif 000010
【図９】
2006279327.tif 000011
【図１０】
2006279327.tif 000012
【図１１】
2006279327.tif 000013